(57)【要約】【課題】テレビ装置などのコンテンツ再生装置は、視聴環境や映像ソースなどに応じて画質や音質の設定を視聴モードとしてまとめてプロファイル管理している。このような複数の視聴モードを用意することで、あらゆる視聴環境、シーンに対応することができる反面、ユーザにとっては選択肢を増やすことになり、操作が煩雑になりがちである。【解決手段】以上の課題を解決するために、コンテンツに含まれる映像やコンテンツの信号形式などから映像ソースのコンテンツ種別を判定し、判定されたコンテンツ種別に応じた視聴モードにてディスプレイ表示を行うコンテンツ再生装置を提供する。【選択図】図１
2010283790.tif 000002
【特許請求の範囲】
【請求項１】
ディスプレイ表示パラメータに応じてディスプレイ表示出力をするディスプレイ部と、
コンテンツ映像を取得するコンテンツ映像取得部と、
取得したコンテンツの種別を判定するための代表映像を保持する代表映像保持部と、
取得したコンテンツ映像と代表映像とを比較してコンテンツ種別を特定する所定の関係にあるか判断する第一判断部と、
判断結果が所定の関係にあるとの判断結果である場合には、特定されたコンテンツ種別を出力する第一コンテンツ種別出力部と、
出力されたコンテンツ種別に応じてそのコンテンツ映像のディスプレイ表示パラメータを選択する第一選択部と、
を有するコンテンツ再生装置。
【請求項２】
ディスプレイ表示パラメータに応じてディスプレイ表示出力をするディスプレイ部と、
コンテンツ映像を取得するコンテンツ映像取得部と、
コンテンツ映像取得部の取得する信号形式を判定する判定部と、
信号形式とコンテンツ種別とを対応付けた対応表を保持する対応表保持部と、
判定結果と対応表に基づいて取得したコンテンツのコンテンツ種別を特定する特定部と、
特定されたコンテンツ種別に応じてそのコンテンツ映像のディスプレイ表示パラメータを選択する第二選択部と、
を有するコンテンツ再生装置。
【請求項３】
ディスプレイ表示パラメータに応じてディスプレイ表示出力をするディスプレイ部と、
コンテンツ映像を取得するコンテンツ映像取得部と、
取得したコンテンツの種別を判定するための代表映像のヒストグラムを保持する代表映像ヒストグラム保持部と、
取得したコンテンツ映像と代表映像ヒストグラムとを比較してコンテンツ種別を特定する所定の関係にあるか判断する第三判断部と、
判断結果が所定の関係にあるとの判断結果である場合には、特定されたコンテンツ種別を出力する第三コンテンツ種別出力部と、
出力されたコンテンツ種別に応じてそのコンテンツ映像のディスプレイ表示パラメータを選択する第三選択部と、
を有するコンテンツ再生装置。
【請求項４】
ディスプレイ表示パラメータに応じてディスプレイ表示出力をするディスプレイ部と、
コンテンツ映像を取得するコンテンツ映像取得部と、
取得するコンテンツ映像の出力機器から出力機器種別を判定するための機器判別情報を取得する機器判別情報取得部と、
取得した機器判別情報がゲーム機を示す情報であるか判断するゲーム機判断部と、
取得した機器判別情報に基づいてコンテンツ映像の出力機器がゲーム機器であるとの判断結果である場合には、コンテンツ映像のディスプレイ表示パラメータとしてゲーム機用パラメータを選択する第四選択部と、
を有するコンテンツ再生装置。
【発明の詳細な説明】
【技術分野】
【０００１】
本発明は、コンテンツ映像からコンテンツの種別を判定し、判定したコンテンツの種別に応じて、ディスプレイ表示の画質設定を切り替えるコンテンツ再生装置に関する。
【背景技術】
【０００２】
近年、テレビ装置などのコンテンツ再生装置は、視聴環境や映像ソースなどに応じて画質や音質の設定を視聴モードとしてまとめてプロファイル管理している。このような複数の視聴モードを用意することで、あらゆる視聴環境、シーンに対応することができる反面、ユーザにとっては選択肢を増やすことになり、煩雑になりがちである。そのため、好みに応じて視聴モードを切り替えているユーザは、実際にはそれほど多くはないのが現状である。
【０００３】
そこで、ゲーム機からの映像・音声信号の受け入れを指示するためのゲーム機選択スイッチからの入力信号や、ゲーム機用接続端子に印加される信号の検知に応じて、映像表示部や音声出力部の制御パラメータをゲームモードに自動的に切替設定するテレビ装置に関する技術が提案されている。
【先行技術文献】
【特許文献】
【０００４】
【特許文献１】特開平８−２３４７９
【発明の概要】
【発明が解決しようとする課題】
【０００５】
しかし、特許文献１の発明では、視聴モードを切り替える対象がゲーム機に限られるため、映画などを視聴する際にはユーザが自ら視聴モードの切り替えを行わなくてはならない。また、ゲーム機用接続端子に印加される信号の検知に応じて切り替える手段のみでは、多様なコンテンツが視聴の対象となる現在において、視聴モードを自ら切り換える煩わしさを解消するためには十分とは言えない。
【課題を解決するための手段】
【０００６】
上記課題を解決するために、本発明では次に示すコンテンツ再生装置を提供する。すなわち、第一の発明としては、ディスプレイ表示パラメータに応じてディスプレイ表示出力をするディスプレイ部と、コンテンツ映像を取得するコンテンツ映像取得部と、取得したコンテンツの種別を判定するための代表映像を保持する代表映像保持部と、取得したコンテンツ映像と代表映像とを比較してコンテンツ種別を特定する所定の関係にあるか判断する第一判断部と、判断結果が所定の関係にあるとの判断結果である場合には、特定されたコンテンツ種別を出力する第一コンテンツ種別出力部と、出力されたコンテンツ種別に応じてそのコンテンツ映像のディスプレイ表示パラメータを選択する第一選択部とを有するコンテンツ再生装置を提供する。
【０００７】
第二の発明としては、ディスプレイ表示パラメータに応じてディスプレイ表示出力をするディスプレイ部と、コンテンツ映像を取得するコンテンツ映像取得部と、第二コンテンツ映像取得部の取得する信号形式を判定する判定部と、信号形式とコンテンツ種別とを対応付けた対応表を保持する対応表保持部と、判定結果と対応表に基づいて取得したコンテンツのコンテンツ種別を特定する特定部と、特定されたコンテンツ種別に応じてそのコンテンツ映像のディスプレイ表示パラメータを選択する第二選択部とを有するコンテンツ再生装置を提供する。
【０００８】
第三の発明としては、ディスプレイ表示パラメータに応じてディスプレイ表示出力をするディスプレイ部と、コンテンツ映像を取得するコンテンツ映像取得部と、取得したコンテンツの種別を判定するための代表映像のヒストグラムを保持する代表映像ヒストグラム保持部と、取得したコンテンツ映像と代表映像ヒストグラムとを比較してコンテンツ種別を特定する所定の関係にあるか判断する第三判断部と、判断結果が所定の関係にあるとの判断結果である場合には、特定されたコンテンツ種別を出力する第三コンテンツ種別出力部と、出力されたコンテンツ種別に応じてそのコンテンツ映像のディスプレイ表示パラメータを選択する第三選択部とを有するコンテンツ再生装置を提供する。
【０００９】
第四の発明としては、ディスプレイ表示パラメータに応じてディスプレイ表示出力をするディスプレイ部と、コンテンツ映像を取得するコンテンツ映像取得部と、取得するコンテンツ映像の出力機器から出力機器種別を判定するための機器判別情報を取得する機器判別情報取得部と、取得した機器判別情報がゲーム機を示す情報であるか判断するゲーム機判断部と、取得した機器判別情報に基づいてコンテンツ映像の出力機器がゲーム機器であるとの判断結果である場合には、コンテンツ映像のディスプレイ表示パラメータとしてゲーム機用パラメータを選択する第四選択部とを有するコンテンツ再生装置を提供する。
【発明の効果】
【００１０】
本発明により、ユーザは特別な操作をする必要なく、視聴するコンテンツに最適な視聴モードでゲームや映画などを楽しむことができる。
【図面の簡単な説明】
【００１１】
【図１】実施形態１に係るコンテンツ再生装置の機能ブロックの一例図
【図２】代表映像とコンテンツ種別とを対応させたテーブルを示した一例図
【図３】ディスプレイ表示パラメータを示す一例図
【図４】実施形態１に係るコンテンツ再生装置のハードウェア構成の一例図
【図５】実施形態１に係るコンテンツ再生装置の処理の流れを示すフロー図
【図６】実施形態２に係るコンテンツ再生装置の機能ブロックの一例図
【図７】実施形態２に係るコンテンツ再生装置の処理の流れを示すフロー図
【図８】実施形態３に係るコンテンツ再生装置の機能ブロックの一例図
【図９】実施形態３に係るコンテンツ再生装置の処理の流れを示すフロー図
【図１０】実施形態４に係るコンテンツ再生装置の機能ブロックの一例図
【図１１】実施形態４に係るコンテンツ再生装置の処理の流れを示すフロー図
【発明を実施するための形態】
【００１２】
以下、本発明の実施の形態について説明する。なお、本発明は、これらの実施形態に何ら限定されるべきものではなく、その要旨を逸脱しない範囲において、種々なる態様で実施し得る。
【００１３】
実施形態１は、主に請求項１について説明する。実施形態２は、主に請求項２について説明する。実施形態３は、主に請求項３について説明する。実施形態４は、主に請求項４について説明する。
<実施形態１>
<実施形態１  概要>
【００１４】
本実施形態は、コンテンツ映像に含まれる映画のオープニングロゴやゲームの起動ロゴなどから、コンテンツの種別を判断し、それに応じた視聴モードにて当該コンテンツを表示するコンテンツ再生装置である。
<実施形態１  構成>
【００１５】
本実施形態に係るコンテンツ再生装置の機能ブロック図の一例を図１に示す。「コンテンツ再生装置」（０１００）は、「ディスプレイ部」（０１０１）と、「コンテンツ映像取得部」（０１０２）と、「代表映像保持部」（０１０３）と、「第一判断部」（０１０４）と、「第一コンテンツ種別出力部」（０１０５）と、「第一選択部」（０１０６）とを有する。
【００１６】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその他の外部周辺機器用のＩ／Ｏポート、それらハードウェアを制御するためのドライバプログラムやその他アプリケーションプログラム、情報入力に利用されるユーザインターフェイスなどが挙げられる。
【００１７】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００１８】
「ディスプレイ部」（０１０１）は、ディスプレイ表示パラメータに応じてディスプレイ表示出力をする機能を有する。「ディスプレイ表示パラメータ」とは、ディスプレイでの表示画質などを調整するための各種のパラメータであり、例えば、色調や明るさやコントラストなどの画質調整を行うための設定値である。「映画モード」や「ゲームモード」などといった視聴モードは、これら各種のパラメータ値が適宜に設定されている。ディスプレイ表示パラメータは、後述する「第一選択部」にて、コンテンツ種別に応じて選択される。ディスプレイ部は、ディスプレイ本体を含み、その他ディスプレイに映像を表示するためのデバイスなどが含まれる場合がある。ディスプレイには、液晶ディスプレイ、プラズマディスプレイ、ＥＬディスプレイ、冷陰極マトリックス型ディスプレイなどを含む。
【００１９】
「コンテンツ映像取得部」（０１０２）は、コンテンツ映像を取得する機能を有する。「コンテンツ映像」とは、コンテンツを構成するための映像データを指す。なお、コンテンツとは、映像や音声、音楽等を含み、さらに、映像信号の形式、文字情報、制御信号、アプリケーションプログラム、またはそれらの複合形で表現される情報等を含むものを意味する。コンテンツ映像はテレビ放送や記録媒体の読み取りドライブやＩ／Ｏポートを介して外部機器などから取得する。取得したコンテンツ映像は、ＨＤＤやメモリ等に格納してもよい。また、コンテンツ映像取得部はこのような処理をＣＰＵに実行させるためのプログラムを含んでいてもよい。
【００２０】
「代表映像保持部」（０１０３）は、取得したコンテンツの種別を判定するための代表映像を保持する機能を有する。「代表映像」とは、コンテンツの種別を判断するための映像であって、例えば、映画配給会社やゲーム機メーカーやゲームソフトメーカーを表すロゴマークやロゴタイプなどである。代表映像保持部は、代表映像をコンテンツ種別と対応させたテーブルとして保持していてもよい。図２は、代表映像（ロゴマーク、ロゴタイプ）とコンテンツ種別とを対応させたテーブルの一例を示した図である。ロゴマークＡおよびロゴタイプＡは、映画配給会社Ａのロゴマークおよびロゴタイプである。ロゴマークＢおよびロゴタイプＢ以下も同様であり、コンテンツの種別として「映画」が対応付けられている。ゲーム機ロゴマークＡおよびゲーム機ロゴタイプＡや、ゲームソフトロゴマークＡおよびゲームソフトロゴタイプＡなども同様であり、コンテンツ種別として「ゲーム」が対応付けられている。また、コンテンツの種別を判定するための代表映像として、いわゆる「黒帯」を、映画コンテンツを判定するための代表映像に含めてもよい。「黒帯」は、例えば、シネマスコープ（登録商標）サイズなどの映画コンテンツをディスプレイに表示する際に、映像サイズの縦横比と画面サイズの縦横比とが相違するために、映像の上下に黒く帯状に表示されるものである。したがって、取得したコンテンツ映像に黒帯が含まれるものであれば、そのコンテンツは映画であることが分かる。代表映像保持部は、代表映像の追加、削除、変更等を行うことが可能な構成であってもよい。代表映像保持部は具体的にはＨＤＤやメモリなどの記憶装置により構成される。
【００２１】
「第一判断部」（０１０４）は、取得したコンテンツ映像と代表映像とを比較してコンテンツ種別を特定する所定の関係にあるか判断する機能を有する。第一判断部は、ＣＰＵやメインメモリなどの演算装置によって実現することができる。「コンテンツ種別を特定する所定の関係にある」とは、コンテンツ映像と代表映像とが予め定められた関係にあることをいうが、具体的には、取得したコンテンツ映像に含まれるロゴマークやロゴタイプと、代表映像として保持されているロゴマークやロゴタイプとが、いずれか一方又は両方とも一致する関係にあることなどをいう。そして、一致する代表映像が、例えば、映画配給会社のロゴマーク等であれば、取得したコンテンツ映像のコンテンツ種別が「映画」であると特定できる。また、一致する代表映像が、ゲーム機のロゴマーク等であれば、コンテンツ種別が「ゲーム」であると特定できる。
【００２２】
コンテンツ映像と代表映像との比較は、例えば、画像のマッチングにより行うことができる。画像のマッチングとは、コンテンツ映像と代表映像とを照合し、コンテンツ映像にその代表映像と同一の映像が含まれているかを検出するものである。このような画像マッチングの手法は、画像処理の分野において種々存在する。マッチングの手法には、例えば、画素データレベルで行うパターンマッチングなどがある。例えば、パターンマッチングの場合には、代表映像のパターンをテンプレートとしてあらかじめ用意しておき、取得したコンテンツ映像に含まれるロゴマークやロゴタイプに、このテンプレートを重ね画素データの相関を調べることにより照合する。このような照合は、コンテンツ映像の１フレーム単位で行ってもよいし、複数のフレームに及んで行ってもよい。そして、照合した結果が所定値以上の相関を有する場合に、照合した両者が一致するものと判断できる。所定値は、許容する検出誤差に応じて定めることができる。なお、コンテンツ映像と代表映像との比較は、上述した以外の手法を用いてもよい。
【００２３】
「第一コンテンツ種別出力部」（０１０５）は、第一判断部での判断結果が所定の関係にあるとの判断結果である場合には、特定されたコンテンツ種別を出力する機能を有する。「映画」あるいは「ゲーム」と特定されたコンテンツ種別は、第一選択部へ出力される。第一コンテンツ種別出力部は、ＣＰＵやＲＡＭなどで実現することができる。
【００２４】
「第一選択部」（０１０６）は、出力されたコンテンツ種別に応じてそのコンテンツ映像のディスプレイ表示パラメータを選択する機能を有する。ディスプレイ表示パラメータは、映画やゲームなどコンテンツの種別と関連付けてテーブルとしてＨＤＤや不揮発性メモリなどに保持しておいてもよい。図３は、ディスプレイ表示パラメータをテーブルとして保持する場合の一例を示したものである。テーブルには、「コントラスト」、「明るさ」、「色の濃さ」、「色合い」、「エッジ強調」の値および「ＮＲ（ノイズ除去：Ｎｏｉｓｅ  Ｒｅｄｕｃｔｉｏｎ）」の各パラメータが、「ノーマル」、「映画」、「ゲーム」といったコンテンツ種別ごとに設定されている。なお、「ノーマル」は、映画およびゲームのいずれの種別にも該当しない場合に選択されてもよい。例えば、ゲームモードにおいては、「コントラスト」や「明るさ」を抑えることで目の負担を抑えるとともに、「ＮＲ」処理を行わないことにより表示遅延を抑えるように設定されている。そして、ディスプレイ部は、第一選択部にて選択されたディスプレイ表示パラメータに応じてディスプレイ表示出力を行う。なお、このように視聴モードが切り替わる際には、ユーザに違和感を与えないように、緩やかに切り替えを行うようにしてもよい。また、視聴モードが切り替わる旨を、例えば、ＯＳＤ（Ｏｎ  Ｓｃｒｅｅｎ  Ｄｉｓｐｌａｙ）などに表示するようにしてもよい。第一選択部は、ＣＰＵやＲＡＭなどで実現することができる。
<実施形態１  ハードウェア構成>
【００２５】
図４は、本実施形態のコンテンツ再生装置の上記機能的構成をハードウェアとして実現した際の構成の一例を表す図である。図４に示すように、本実施形態のコンテンツ再生装置は、「ディスプレイ部」、「コンテンツ映像取得部」、「代表映像保持部」、「第一判断部」、「第一コンテンツ種別出力部」、「第一選択部」などを構成する、「ＣＰＵ」（０４０１）、「メインメモリ」（０４０２）、「記憶装置」（０４０３）、「Ｉ／Ｏ」（０４０４）、「表示回路」（０４０５）、「ディスプレイ」（０４０６）、「バス」（０４０７）などを備えている。
【００２６】
メインメモリ（０４０２）は、プログラム実行中に動的にデータ書換可能な記憶装置である。メインメモリ（０４０２）は記憶装置（０４０３）に記憶されているコンテンツ映像取得プログラムや第一判断プログラムや表示パラメータ選択プログラムなどを実行するために必要なスタックやヒープ等のワーク領域を提供する。そして、コンテンツ映像取得プログラムや第一判断プログラムや表示パラメータ選択プログラムなどの命令により計算された計算結果などを保持する。記憶装置（０４０３）はプログラム実行中に動的にデータ書換可能な記憶装置であり、装置の電源が切れても、記憶しているデータが消去されない。記憶装置（０４０３）は、ディスプレイ表示パラメータや代表映像やコンテンツ映像取得プログラムや第一判断プログラムや表示パラメータ選択プログラムなどが記憶されている。「ＣＰＵ」（０４０１）は、メインメモリに展開されたコンテンツ映像取得プログラムを実行し、取得したコンテンツ映像をいったん保持し、第一判断プログラムを実行し、保持したコンテンツ映像と代表映像とを比較する演算処理を行う。そして、演算処理により特定されるコンテンツ種別をいったん保持し、表示パラメータ選択プログラムを実行し、保持したコンテンツ種別に応じたディスプレイ表示パラメータを選択する演算処理を行い、さらに、選択されたディスプレイ表示パラメータに応じてコンテンツをＶＲＡＭに展開し、「表示回路」（０４０５）を介して「ディスプレイ」（０４０６）に出力する。
<実施形態１  処理の流れ>
【００２７】
図５は、本実施形態に係るコンテンツ再生装置における処理の流れの一例を示すフロー図である。本実施形態に係るコンテンツ再生装置は、代表映像保持部を有しており、処理の流れは、まず、コンテンツ映像を取得する。この処理はコンテンツ映像取得部によって実行される（コンテンツ映像取得ステップ  Ｓ０５０１）。次に、取得したコンテンツ映像と代表映像とを比較してコンテンツ種別を特定する所定の関係にあるか判断する。この処理は第一判断部によって実行される（第一判断ステップ  Ｓ０５０２、Ｓ０５０３）。次に、前記第一判断ステップでの判断結果が所定の関係にあるとの判断結果である場合には、特定されたコンテンツ種別を出力する。この処理は第一コンテンツ種別出力部によって実行される（第一コンテンツ種別出力ステップ  Ｓ０５０４）。次に、前記出力されたコンテンツ種別に応じてそのコンテンツ映像のディスプレイ表示パラメータを選択する。この処理は第一選択部によって実行される（第一選択ステップ  Ｓ０５０５）。次に、前記選択されたディスプレイ表示パラメータに応じてディスプレイ表示出力を行う。この処理はディスプレイ部によって実行される（ディスプレイ表示出力ステップ  Ｓ０５０６）。
<実施形態１  効果>
【００２８】
本実施形態に係るコンテンツ再生装置によって、ユーザは特別な操作をする必要なく、視聴するコンテンツに最適な視聴モードでゲームや映画などを楽しむことができる。
<実施形態２>
<実施形態２  概要>
【００２９】
本実施形態は、コンテンツ映像の信号形式から、コンテンツの種別を判断し、それに応じた視聴モードにて当該コンテンツを表示するコンテンツ再生装置である。
<実施形態２  構成>
【００３０】
本実施形態に係るコンテンツ再生装置の機能ブロック図の一例を図６に示す。「コンテンツ再生装置」（０６００）は、「ディスプレイ部」（０６０１）と、「コンテンツ映像取得部」（０６０２）と、「判定部」（０６０３）と、「対応表保持部」（０６０４）と、「特定部」（０６０５）と、「第二選択部」（０６０６）とを有する。本実施形態の「ディスプレイ部」、「コンテンツ映像取得部」、「第二選択部」は、それぞれ、実施形態１における「ディスプレイ部」、「コンテンツ映像取得部」、「第一選択部」と、コンテンツ再生装置の構成として同様の機能を有するものである。よって、ここでの説明は省略する。
【００３１】
「判定部」（０６０３）は、第二コンテンツ映像取得部の取得する信号形式を判定する機能を有する。「信号形式」とは、映像や音声を構成する信号の形式であり、例えば、ＹＣｂＣｒ信号やＹＰｂＰｒ信号やＲＧＢ信号などがある。判定部は、例えば、コンテンツ映像を構成する水平同期信号及び垂直同期信号の各周期の組み合わせから信号形式を判定することができる。水平同期信号及び垂直同期信号の各周期の組み合わせは、信号形式ごとに異なるものなので、信号形式ごとの各周期の組み合わせをテーブルとして不揮発性メモリなど保持しておいて、これを参照して信号形式を判定することができる。さらに、コンテンツ映像がＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格で接続されている機器から出力されているものである場合には、画像データの属性データである「Ｉｎｆｏｆｒａｍｅ」を取得し、これに含まれる「２４Ｐ」を検出することにより、信号形式を判定してもよい。判定部は、このような処理をＣＰＵに実行させるためのプログラムを含んでいてもよい。
【００３２】
「対応表保持部」（０６０４）は、信号形式とコンテンツ種別とを対応付けた対応表を保持する機能を有する。信号形式とコンテンツ種別との対応付けは、例えば、「ＹＣｂＣｒ信号」、「ＹＰｂＰｒ信号」、「２４Ｐ」と「映画」を対応付け、「ＲＧＢ信号」と「ゲーム」を対応付ける。これは、映画ソフトを再生するＤＶＤレコーダなどが、一般的にＹＣｂＣｒ信号やＹＰｂＰｒ信号で映像表現する信号形式を採用していることや、映画が２４Ｐの規格を採用していることに応じたものである。また、ゲーム機においては、ＲＧＢ信号で映像表現する信号形式を採用している場合があることに応じたものである。対応表保持部は、以上のような信号形式とコンテンツ種別とを対応付けた対応表をＨＤＤや不揮発性メモリなどに保持する。
【００３３】
「特定部」（０６０５）は、判定結果と対応表に基づいて取得したコンテンツのコンテンツ種別を特定する機能を有する。特定部は、ＣＰＵやＲＡＭなどで実現することができる。特定部によって特定されたコンテンツ種別に応じて、第二選択部はそのコンテンツ映像のディスプレイ表示パラメータを選択する。
<実施形態２  ハードウェア構成>
【００３４】
本実施形態のコンテンツ再生装置の上記機能的構成をハードウェアとして実現した際の構成の一例としては、実施形態１にて図４を利用して説明した構成に、信号形式を判定するためのプログラムや信号形式とコンテンツ種別とを対応付けた対応表などを所定の記憶領域に記憶しておくことを加えた構成などが挙げられる。
<実施形態２  処理の流れ>
【００３５】
図７は、本実施形態に係るコンテンツ再生装置における処理の流れの一例を示すフロー図である。本実施形態に係るコンテンツ再生装置は、対応表保持部を有しており、処理の流れは、まず、コンテンツ映像を取得する。この処理はコンテンツ映像取得部によって実行される（コンテンツ映像取得ステップ  Ｓ０７０１）。次に、取得したコンテンツ映像の信号形式を判定する。この処理は判定部によって実行される（判定ステップ  Ｓ０７０２）。次に、前記判定ステップでの判定結果と対応表に基づいて取得したコンテンツのコンテンツ種別を特定する。この処理は特定部によって実行される（特定ステップ  Ｓ０７０３）。次に、前記特定されたコンテンツ種別に応じてそのコンテンツ映像のディスプレイ表示パラメータを選択する。この処理は第二選択部によって実行される（第二選択ステップ  Ｓ０７０４）。次に、前記選択されたディスプレイ表示パラメータに応じてディスプレイ表示出力を行う。この処理はディスプレイ部によって実行される（ディスプレイ表示出力ステップ  Ｓ０７０５）。
<実施形態２  効果>
【００３６】
本実施形態に係るコンテンツ再生装置によって、コンテンツの信号形式からコンテンツ種別が特定され、そのコンテンツに応じた視聴モードにてディスプレイ表示される。
<実施形態３>
<実施形態３  概要>
【００３７】
本実施形態は、コンテンツ映像と代表映像のヒストグラムとを比較してコンテンツ種別を特定し、特定されたコンテンツ種別に応じた視聴モードにて当該コンテンツを表示するコンテンツ再生装置である。
<実施形態３  構成>
【００３８】
本実施形態に係るコンテンツ再生装置の機能ブロック図の一例を図８に示す。「コンテンツ再生装置」（０８００）は、「ディスプレイ部」（０８０１）と、「コンテンツ映像取得部」（０８０２）と、「代表映像ヒストグラム保持部」（０８０３）と、「第三判断部」（０８０４）と、「第三コンテンツ種別出力部」（０８０５）と、「第三選択部」（０８０６）とを有する。本実施形態の「ディスプレイ部」、「コンテンツ映像取得部」、「第三コンテンツ種別出力部」、「第三選択部」は、それぞれ、実施形態１における「ディスプレイ部」、「コンテンツ映像取得部」、「第一コンテンツ種別出力部」、「第一選択部」と、コンテンツ再生装置の構成として同様の機能を有するものである。よって、ここでの説明は省略する。
【００３９】
「代表映像ヒストグラム保持部」（０８０３）は、取得したコンテンツの種別を判定するための代表映像のヒストグラムを保持する機能を有する。ここで、「代表映像」とは、実施形態１の「代表映像保持部」における「代表映像」と同意である。「ヒストグラム」とは画像上の各ピクセルの持つ明るさ（輝度）や色相（ＲＧＢ）などの画像データの特徴の分布を表すものであり、代表映像ヒストグラム保持部は、代表映像ごとの輝度ヒストグラムやＲＧＢヒストグラムを、その代表映像により特定されるコンテンツ種別と対応付けて保持する。代表映像ヒストグラム保持部は、ＨＤＤやメモリなどの記憶装置により構成される。
【００４０】
「第三判断部」（０８０４）は、取得したコンテンツ映像と代表映像ヒストグラムとを比較してコンテンツ種別を特定する所定の関係にあるか判断する機能を有する。第三判断部は、ＣＰＵやメインメモリなどの演算装置によって実現することができる。「コンテンツ種別を特定する所定の関係にある」とは、コンテンツ映像と代表映像ヒストグラムとが予め定められた関係にあることをいうが、具体的には、取得したコンテンツ映像に含まれるロゴマークやロゴタイプのヒストグラムと、代表映像ヒストグラムとして保持されているロゴマークやロゴタイプのヒストグラムとが、いずれか一方又は両方とも一致する関係にあることなどをいう。そして、一致する代表映像ヒストグラムが、例えば、映画配給会社のロゴマーク等であれば、取得したコンテンツ映像のコンテンツ種別が「映画」であると特定できる。また、一致する代表映像ヒストグラムが、ゲーム機のロゴマーク等であれば、コンテンツ種別が「ゲーム」であると特定できる。
【００４１】
コンテンツ映像と代表映像ヒストグラムとの比較は、実施形態１と同様に、例えば、画像のマッチングにより行うことができる。ヒストグラムマッチングは、画像から抽出した輝度や色相などの特徴レベルで行う。具体的には、代表映像の輝度ヒストグラムやＲＧＢヒストグラムと、取得したコンテンツ映像に含まれるロゴマークやロゴタイプのヒストグラムと照合して、両者が一致するか比較する。このような照合は、コンテンツ映像の１フレーム単位で行ってもよいし、複数のフレームに及んで行ってもよい。なお、コンテンツ映像と代表映像ヒストグラムとの比較は、上述した以外の手法を用いてもよい。
<実施形態３  ハードウェア構成>
【００４２】
本実施形態のコンテンツ再生装置の上記機能的構成をハードウェアとして実現した際の構成の一例としては、実施形態１にて図４を利用して説明した構成に、代表映像ヒストグラムやコンテンツ映像と保持している代表映像ヒストグラムとを比較するためのプログラムなどを、所定の記憶領域に記憶しておくことを加えた構成が挙げられる。
<実施形態３  処理の流れ>
【００４３】
図９は、本実施形態に係るコンテンツ再生装置における処理の流れの一例を示すフロー図である。本実施形態に係るコンテンツ再生装置は、代表映像ヒストグラム保持部を有しており、処理の流れは、まず、コンテンツ映像を取得する。この処理はコンテンツ映像取得部によって実行される（コンテンツ映像取得ステップ  Ｓ０９０１）。次に、取得したコンテンツ映像と代表映像ヒストグラムとを比較してコンテンツ種別を特定する所定の関係にあるか判断する。この処理は第三判断部によって実行される（第三判断ステップ  Ｓ０９０２）。次に、前記第三判断ステップでの判断結果が所定の関係にあるとの判断結果である場合には、特定されたコンテンツ種別を出力する。この処理は第三コンテンツ種別出力部によって実行される（第三コンテンツ種別出力ステップ  Ｓ０９０３）。次に、前記特定されたコンテンツ種別に応じてそのコンテンツ映像のディスプレイ表示パラメータを選択する。この処理は第三選択部によって実行される（第三選択ステップ  Ｓ０９０４）。次に、前記選択されたディスプレイ表示パラメータに応じてディスプレイ表示出力を行う。この処理はディスプレイ部によって実行される（ディスプレイ表示出力ステップ  Ｓ０９０５）。
<実施形態３  効果>
【００４４】
本実施形態に係るコンテンツ再生装置によって、コンテンツ映像のヒストグラムからコンテンツ種別が特定され、そのコンテンツに応じた視聴モードにてディスプレイ表示される。
<実施形態４>
<実施形態４  概要>
【００４５】
本実施形態は、コンテンツ映像の出力機器から出力機器種別を判定するための機器判別情報を取得し、機器判別情報に基づき前記コンテンツ映像の出力機器がゲーム機であると判断された場合には、ゲームモードにてディスプレイ表示するコンテンツ再生装置である。
<実施形態４  構成>
【００４６】
本実施形態に係るコンテンツ再生装置の機能ブロック図の一例を図１０に示す。「コンテンツ再生装置」（１０００）は、「ディスプレイ部」（１００１）と、「コンテンツ映像取得部」（１００２）と、「機器判別情報取得部」（１００３）と、「ゲーム機判断部」（１００４）と、「第四選択部」（１００５）とを有する。本実施形態の「ディスプレイ部」、「コンテンツ映像取得部」は、それぞれ、実施形態１における「ディスプレイ部」、「コンテンツ映像取得部」と、コンテンツ再生装置の構成として同様の機能を有するものである。よって、ここでの説明は省略する。
【００４７】
「機器判別情報取得部」（１００３）は、取得するコンテンツ映像の出力機器から出力機器種別を判定するための機器判別情報を取得する機能を有する。機器判別情報には、例えば、ＨＤＭＩ規格におけるＥＤＩＤ（Ｅｘｔｅｎｄｅｄ Ｄｉｓｐｌａｙ Ｉｄｅｎｔｉｆｉｃａｔｉｏｎ Ｄａｔａ）などがある。ＥＤＩＤは、ＨＤＭＩ規格においてＤＤＣ（Ｄｉｓｐｌａｙ Ｄａｔａ Ｃｈａｎｎｅｌ）を介して伝送されるものであり、機器認証の情報である。機器判別情報取得部は、例えば、ＨＤＭＩ規格により接続されている機器のＥＤＩＤを機器判別情報として取得する。このような処理はＣＰＵやＲＡＭなどで実現することができる。
【００４８】
「ゲーム機判断部」（１００４）は、取得した機器判別情報がゲーム機を示す情報であるか判断する機能を有する。ゲーム機判断部は、例えば、機器ごとのＥＤＩＤをＨＤＤやＲＯＭなどの不揮発性メモリに格納しておき、コンテンツ映像の出力機器のＥＤＩＤと、取格納されている機器ごとのＥＤＩＤとを参照し、その出力機器のＥＤＩＤがゲーム機を示す情報であるか判断する。ゲーム機判断部での処理はＣＰＵやＲＡＭなどで実現することができる。
【００４９】
「第四選択部」（１００５）は、取得した機器判別情報に基づいてコンテンツ映像の出力機器がゲーム機器であるとの判断結果である場合には、コンテンツ映像のディスプレイ表示パラメータとしてゲーム機用パラメータを選択する機能を有する。「ゲーム機用パラメータ」とは、実施形態１の第一選択部において、特定されたコンテンツ種別が「ゲーム」である場合に選択される「ゲームモード」のディスプレイ表示パラメータと同様である。第四選択部は、実施形態１の第一選択部において、特定されたコンテンツ種別が「ゲーム」である場合の機能と同様であるので、説明は省略する
<実施形態４  ハードウェア構成>
【００５０】
本実施形態のコンテンツ再生装置の上記機能的構成をハードウェアとして実現した際の構成の一例としては、実施形態１にて図４を利用して説明した構成に、例えば、機器ごとの機器判別情報としてのＥＤＩＤデータや取得した機器判別情報がゲーム機を示す情報であるか判断するためのプログラムなどを、所定の記憶領域に記憶しておくことを加えた構成が挙げられる。
<実施形態４  処理の流れ>
【００５１】
図１１は、本実施形態に係るコンテンツ再生装置における処理の流れの一例を示すフロー図である。処理の流れは、まず、コンテンツ映像を取得する。この処理はコンテンツ映像取得部によって実行される（コンテンツ映像取得ステップ  Ｓ１１０１）。次に、取得したコンテンツ映像の出力機器から出力機器種別を判定するための機器判別情報を取得する。この処理は機器判別情報取得部によって実行される（機器判別情報取得ステップ  Ｓ１１０２）。次に、前記機器判別情報取得ステップで取得した機器判別情報がゲーム機を示す情報であるか判断する。この処理はゲーム機判断部によって実行される（ゲーム機判断ステップ  Ｓ１１０３）。次に、前記ゲーム機判断ステップでの判断結果がコンテンツ映像の出力機器の機器判別情報がゲーム機を示す情報であるとの判断結果である場合には、コンテンツ映像のディスプレイ表示パラメータとしてゲーム機用パラメータを選択する。この処理は第四選択部によって実行される（第四選択ステップ  Ｓ１１０４）。次に、前記選択されたディスプレイ表示パラメータに応じてディスプレイ表示出力を行う。この処理はディスプレイ部によって実行される（ディスプレイ表示出力ステップ  Ｓ１１０５）。
<実施形態４  効果>
【００５２】
本実施形態に係るコンテンツ再生装置によって、出力機器種別を判定するための機器判別情報に基づき出力機器がゲーム機であると判定した場合には、ゲーム機用のディスプレイ表示パラメータにてディスプレイ表示出力を行う。
【符号の説明】
【００５３】
０１００  コンテンツ再生装置
０１０１  ディスプレイ部
０１０２  コンテンツ映像取得部
０１０３  代表映像保持部
０１０４  第一判断部
０１０５  第一コンテンツ種別出力部
０１０６  第一選択部
【図１】
2010283790.tif 000003
【図２】
2010283790.tif 000004
【図３】
2010283790.tif 000005
【図４】
2010283790.tif 000006
【図５】
2010283790.tif 000007
【図６】
2010283790.tif 000008
【図７】
2010283790.tif 000009
【図８】
2010283790.tif 000010
【図９】
2010283790.tif 000011
【図１０】
2010283790.tif 000012
【図１１】
2010283790.tif 000013